(57)【要約】      （修正有）【課題】小さく重量の軽いマンホール蓋本体であっても、落とすだけで容易に受枠内に取り付けることができるロック式マンホール蓋を提供する。【解決手段】内周に係合部２ｄを形成し、内側に開口２ａが形成された環状受枠２と、バールＢが上方から挿入されるバール挿入用開口４ｄと、下面に回動可能に取り付けられたロック部材５を有し、受枠２の開口２ａを閉塞するマンホール蓋本体４とを備え、このロック部材５は、中途部にバール挿入用開口４ｄを下側から閉塞する閉塞蓋２７が取り付けられ、先端に回動可能に取り付けられた爪部材２８を備えてなり、マンホール蓋本体４が開口２ａを閉塞するように受枠２に支持された際には、爪部材２８が係合部２ｄの下方に位置する。【選択図】図１
2005290731.tif 000002
【特許請求の範囲】
【請求項１】
内側に開口が形成されてなり環状に成形された受枠と、
この受枠の内周に形成されてなる係合部と、
上記受枠の開口を閉塞するマンホール蓋本体と、
このマンホール蓋本体に形成され、バールが上方から挿入されるバール挿入用開口と、
上記マンホール蓋本体の下面に取り付けられ、該マンホール蓋本体が上記開口を閉塞するように上記受枠に支持された際に、先端が上記係合部に下側から係合する方向及びその逆方向に回動可能となされたロック部材と、
このロック部材の中途部に取り付けられ、上記バール挿入用開口を下側から閉塞する閉塞蓋と、を備え、
上記ロック部材は、上記マンホール蓋本体の下面に取り付けられたロック部材本体と、
このロック部材本体の先端に回動可能に取り付けられ、上記係合部と係合するとともに、下方から上方に力が作用した場合には上方に回動し、上方から下方に力が作用した場合にはその位置を止める爪部材と、を備えてなり、
上記マンホール蓋本体が上記開口を閉塞するように上記受枠に支持された際には、上記爪部材が上記係合部の下方に位置することを特徴とするロック式マンホール蓋。
【請求項２】
内側に開口が形成されてなり環状に成形された受枠と、
この受枠の内周に形成されてなる係合部と、
上記受枠の開口を閉塞するマンホール蓋本体と、
このマンホール蓋本体に形成され、バールが上方から挿入されるバール挿入用開口と、
上記マンホール蓋本体の下面に取り付けられ、該マンホール蓋本体が上記開口を閉塞するように上記受枠に支持された際に、先端が上記係合部に下側から係合する方向及びその逆方向に回動可能となされたロック部材と、
このロック部材の中途部に取り付けられ、上記バール挿入用開口を下側から閉塞する閉塞蓋と、を備え、
上記ロック部材は、上記マンホール蓋本体の下面に取り付けられたロック部材本体と、
このロック部材本体の先端に回動可能に取り付けられ、上記係合部と係合するとともに、下方から上方に力が作用した場合には上方に回動し、上方から下方に力が作用した場合にはその位置を止める爪部材と、
上記ロック部材本体及び爪部材それぞれに対して弾性力を及ぼす弾性部材と、を備えてなり、
上記弾性部材は上記爪部材を常に下方に向けて回動するように付勢しつつ、上記マンホール蓋本体が上記開口を閉塞するように上記受枠に支持された際には、上記係合部の下方に位置することを特徴とするロック式マンホール蓋。
【発明の詳細な説明】
【技術分野】
【０００１】
本発明は、受枠に形成された開口を閉塞するマンホール蓋本体の支持が容易なものとされながら、該マンホール蓋本体が不用意に開放されることを確実に規制するロック式マンホール蓋に関するものである。
【背景技術】
【０００２】
従来、マンホール蓋本体は、リング状に成形された受枠上に、何ら連結されず単に支持されているもの以外に、受枠に蝶番を介して開閉可能に連結された状態で取り付けされているものが使用されていた。さらに近年では、集中豪雨等によりマンホール内で乱流する雨水等の圧力によりマンホール蓋本体が不用意に開放されないように、ロック部材によりロックされるロック式のマンホールが提案及び実施されている。例えば、本出願人が先に提案した特開２００２−５３６３１号公報に開示したロック式マンホール蓋１０１は、図１０に示すように、マンホール蓋本体１０２を支持している受枠１０３の内周に一方の係合部１０３ａを設け、また、マンホール蓋本体１０２の下面には、この受枠１０３の内周に形成された一方の係合部１０３ａに係合する他方の係合部１０４ａが形成されてなるロック部材１０４が、回動軸１０４ｂにより回動自在に支持されている。特に、この回動軸１０４ｂは、ねじりコイルバネ１０４ｃにより、図１０の時計回り方向に付勢されていることから、このマンホール蓋本体１０２を受枠１０３上に上方から取り付けることにより、このロック部材１０４は図１０の反時計回り方向に回転し、また、受枠１０３内に完全に入った際には、ねじりコイルバネ１０４ｃの作用によって一方の係合部１０３ａの下方に該ロック部材１０４の他方の係合部１０４ａが位置するものとなっている。したがって、受枠１０３の一方の係合部１０３ａとロック部材１０４の他方の係合部１０４ａとは確実にロックされる。
【特許文献１】特開２００２−５３６３１号公報
【０００３】
上述したロック式マンホール蓋１０１を用いる場合には、このマンホール蓋本体１０２が一定以上大きな重量である場合には、該受枠１０３と該マンホール蓋本体１０２との開閉の蝶番１０５を係合させて傾斜した状態とし、該受枠１０３の一方の係合部１０３ａの上に該マンホール蓋本体１０２の他方の係合部１０４ａを位置させた上で該マンホール蓋本体１０２から手放して受枠１０３内に落とすことにより、これら該受枠１０３の一方の係合部１０３ａ及び該マンホール蓋本体１０２に形成されたロック部材１０４の他方の係合部１０４ａは互いに係合する。すなわち、このマンホール蓋本体１０２を手放した後該受枠１０３の一方の係合部１０３ａと他方の係合部１０４ａとが当接するまでに得られる運動エネルギー（該マンホール蓋本体１０２の自重も含む）によって、該ロック部材１０４がねじりコイルバネ１０４ｃの弾性力に抗しつつ回動し、該マンホール蓋本体１０２が該受枠１０３内に完全に収まるとともにねじりコイルバネ１０４ｃの作用によって、上記一方の係合部１０３ａの下方に他方の係合部１０４ａが位置するものとなり、これら受枠１０３とマンホール蓋本体１０２とは確実に固定がされる。このように、このロック式マンホール蓋１０１であれば、受枠１０３内へのマンホール蓋本体１０２の取り付けは、蝶番１０５を係合させた上で該マンホール蓋本体１０２を受枠１０３内に落とすだけ容易にできる。
【発明の開示】
【発明が解決しようとする課題】
【０００４】
しかしながら、このように受枠１０３内へのマンホール蓋本体１０２の落下のみで容易に取り付けができるのは、あくまでこのマンホール蓋本体１０２が一定以上の大きな重量を有する場合に限られている。すなわち、マンホール蓋本体１０２が小さく軽量な場合には、該マンホール蓋本体１０２を落下させても、該受枠１０３の一方の係合部１０３ａとロック部材１０４の他方の係合部１０４ａとの当接時においてロック部材１０４をねじりコイルバネ１０４ｃの弾性力に抗して回動させるのに足る運動エネルギーを得ることができず、このため、図１０に示すように、一方の係合部１０３ａ上に他方の係合部１０４ａが載る状態となり、受枠１０３内へのマンホール蓋本体１０２の取り付けができず、マンホール蓋本体１０２を上から作業者が足で踏む等により荷重をかけるという余計な手間をかける必要がある。このような取付時の不便を解決するために、マンホール蓋本体１０２を容易に受枠１０３内に取り付けられるように、ねじりコイルバネ１０４ｃを弾性力の弱いものとしてロック部材１０４を軽い力でも回動できるものとすることも考えられる。しかし、このようにロック部材１０４を軽い力でも回動できるものとすると、このロック部材１０４を回動操作するためにバールを挿入するバール挿入用開口の密閉が悪くなり、このバール挿入用開口の隙間から土砂や雨水がマンホールの内部に侵入し易いものとなり、望ましくない。
【０００５】
そこで、本発明は、上述した従来のロック式マンホール蓋が有する課題を解決するために提案されたものであって、小さく重量の軽いマンホール蓋本体であっても、落とすだけで容易に受枠内に取り付けることができるロック式マンホール蓋を提供するものである。
【課題を解決するための手段】
【０００６】
本発明は上記の課題を解決するために提案されたロック式マンホール蓋であって、第１の発明（請求項１記載の発明）は、内側に開口が形成されてなり環状に成形された受枠と、この受枠の内周に形成されてなる係合部と、上記受枠の開口を閉塞するマンホール蓋本体と、このマンホール蓋本体に形成され、バールが上方から挿入されるバール挿入用開口と、上記マンホール蓋本体の下面に取り付けられ、該マンホール蓋本体が上記開口を閉塞するように上記受枠に支持された際に、先端が上記係合部に下側から係合する方向及びその逆方向に回動可能となされたロック部材と、このロック部材の中途部に取り付けられ、上記バール挿入用開口を下側から閉塞する閉塞蓋と、を備え、上記ロック部材は、上記マンホール蓋本体の下面に取り付けられたロック部材本体と、このロック部材本体の先端に回動可能に取り付けられ、上記係合部と係合するとともに、下方から上方に力が作用した場合には上方に回動し、上方から下方に力が作用した場合にはその位置を止める爪部材と、を備えてなり、上記マンホール蓋本体が上記開口を閉塞するように上記受枠に支持された際には、上記爪部材が上記係合部の下方に位置することを特徴とするものである。
【０００７】
また、第２の発明（請求項２記載の発明）に係るロック式マンホール蓋は、内側に開口が形成されてなり環状に成形された受枠と、この受枠の内周に形成されてなる係合部と、上記受枠の開口を閉塞するマンホール蓋本体と、このマンホール蓋本体に形成され、バールが上方から挿入されるバール挿入用開口と、上記マンホール蓋本体の下面に取り付けられ、該マンホール蓋本体が上記開口を閉塞するように上記受枠に支持された際に、先端が上記係合部に下側から係合する方向及びその逆方向に回動可能となされたロック部材と、このロック部材の中途部に取り付けられ、上記バール挿入用開口を下側から閉塞する閉塞蓋と、を備え、上記ロック部材は、上記マンホール蓋本体の下面に取り付けられたロック部材本体と、このロック部材本体の先端に回動可能に取り付けられ、上記係合部と係合するとともに、下方から上方に力が作用した場合には上方に回動し、上方から下方に力が作用した場合にはその位置を止める爪部材と、上記ロック部材本体及び爪部材それぞれに対して弾性力を及ぼす弾性部材と、を備えてなり、上記弾性部材は上記爪部材を常に下方に向けて回動するように付勢しつつ、上記マンホール蓋本体が上記開口を閉塞するように上記受枠に支持された際には、上記係合部の下方に位置することを特徴とするものである。
【発明の効果】
【０００８】
第１の発明のロック式マンホール蓋では、ロック部材が、ロック部材本体及び爪部材から構成されており、また、この爪部材はロック部材本体の先端に取り付けられ、下方から上方に力が作用した場合には上方に回動する構成とされていることから、マンホール蓋本体を受枠に取り付ける際には、受枠に形成された係合部にマンホール蓋本体の爪部材が当接した際に該爪部材が上方に回動することにより、ロック部材自体の回動を必要とせず容易に該マンホール蓋本体を受枠の開口の閉塞をさせることができる。また、この爪部材は受枠の係合部の下方に位置することから、マンホール内の雨水等の圧力によりマンホール蓋本体を開放するように下方から上方に向けて圧力がかかり該マンホール蓋本体が持ち上げられた場合には、該爪部材は受枠の係合部に下方から当接及び係合し、また、該爪部材は上方から下方に力が作用した場合にはその位置を止める構成とされていることから、爪部材が受枠の係合部の下方から当接した際には、当接爪部材は回動することなく爪部材と係合部とは係合を保ち、マンホール蓋本体の開放を有効に防ぐことができる。
【０００９】
第２の発明のロック式マンホール蓋では、上記第１の発明のロック式マンホール蓋と同様に、爪部材はロック部材本体の先端に取り付けられ、下方から上方に力が作用した場合には上方に回動する構成とされていることから、容易に該マンホール蓋本体を受枠の開口の閉塞をさせることができるとともに、該爪部材は受枠の係合部の下方に位置することから、マンホール内の雨水等の圧力によりマンホール蓋本体を開放するように下方から上方に向けて圧力がかかった場合には該爪部材は受枠の係合部と当接及び係合し、また、該爪部材は上方から下方に力が作用した場合にはその位置を止める構成とされていることから、爪部材が受枠の係合部の下方から当接した場合にも、当接した爪部材は回動することなく爪部材と係合部と係合した状態を保ち、マンホール蓋本体の開放を有効に防ぐことができる。更に、この爪部材はロック部材本体との間に弾性部材を取り付けられており、該爪部材は下方に向けて回動した状態を保つものとされていることから、このマンホール蓋本体が傾斜した路面上等において傾けて取り付けられた場合であっても、該爪部材が傾くことが無く確実に受枠の係合部の下方に位置するものとなることから、どのような場所に設置した場合にも有効にこのマンホール蓋本体の開放を防ぐことができる。
【発明を実施するための最良の形態】
【００１０】
以下、本発明の一実施の形態に係るロック式マンホール蓋について、図面を参照しながら詳細に説明する。
【００１１】
この実施の形態に係るロック式マンホール蓋１は、図１乃至図３に示すように、地中に埋設固定され内側には開口２ａが形成されてなる受枠２と、この受枠２に蝶番３を介して開閉可能に連結され上記開口２ａを開閉するマンホール蓋本体４と、上記受枠２とマンホール蓋本体４とをロックするロック部材５を備えている。
【００１２】
上記受枠２は、円形の開口２ａと、ほぼ円筒状に成形されてなる枠部２ｂと、この枠部２ｂの下端から該枠部２ｂの外側に延在してなるフランジ部２ｃとを備えている。そして、上記枠部２ｂの内側には、係合部２ｄ及び蝶番係合部２ｅが形成されている。この係合部２ｄは、後述するマンホール蓋本体４に形成されたロック部材５の爪部材２８に係合する部位であり、これら係合部２ｄと爪部材２８との係合により、上記受枠２とマンホール蓋本体４とがロックされる。また、蝶番係合部２ｅは、蝶番３と係合してマンホール蓋本体４を受枠２に取り付けるものであって、マンホール蓋本体４の下面に回動可能に取り付けられる蝶番３が挿通する開口２ｆが形成されている。また、上記フランジ部２ｃには、ボルト挿通孔２ｇが複数形成され、図示しないボルト等が螺着して受枠２の固定をする。
【００１３】
また、上記マンホール蓋本体４は、円盤状に成形された蓋部４ａと、この蓋部４ａの周縁部より下面側に向けて鉛直に形成されたリング部４ｂと、を備えている。また、上記蓋部４ａの下面には、上述の通り、蝶番３が回動可能に取り付けられており、また、複数のリブ４ｃが形成されている。また、この蓋部４ａの端部には、後述するように、ロックされたマンホール蓋本体４のロック状態を解除し該マンホール蓋本体４を回動操作するバールＢの先端が挿入されるバール挿入用開口４ｄが形成されている。
【００１４】
また、上記マンホール蓋本体４を構成する蓋部４ａの下面には、図４及び図５に示すように、該蓋部４ａの上記バール挿入用開口４ｄの形成位置よりやや中心側の左側に左ロック部材支持片１１が形成され、また、右側には、該左ロック部材支持片１１に平行となされ、且つ、面対向してなる右ロック部材支持片１２が垂下されている。この左ロック部材支持片１１の右側面には円形の左軸受凹部１３が形成されており、また、右ロック部材支持片１２の左側面には、上記左軸受凹部１３と対称となる円形の凹部と該凹部と正面側に向けて連続して形成された溝状の凹部とからなる右軸受凹部１４が形成されており、後述するロック部材本体２６の左細径部３３及び右細径部３４は、それぞれこれら左軸受凹部１３及び右軸受凹部１４内にて支持される。なお、このロック部材本体２６の左軸受凹部１３及び右軸受凹部１４への取り付けの際には、左細径部３３を左軸受凹部１３内に入れ、該ロック部材本体２６の右細径部３４を右軸受凹部１４の手前側に形成された溝状の凹部から後端の円形の凹部内に入れ、次いで、右ロック部材支持片１２の右側面から該右軸受凹部１４内へと連続する開口１５内にボルト１６を入れ、該右軸受凹部１４内に配置したナット１６ａに該ボルト１６を螺着する。このナット１６ａの螺着により、上記左細径部３３及び右細径部３４は、それぞれ左軸受凹部１３及び右軸受凹部１４内にて回動可能に支持される。また、上記蓋部４ａの下面には、一端が上記左ロック部材支持片１１と連続して細長状に成形された左外側リブ１７と、上記右ロック部材支持片１２に一端が連続して上記左外側リブ１７と同一の長さとされた右外側リブ１８とが形成されている。同様に、この蓋部４ａの下面には、上記左外側リブ１７の右側面に対向してなる左内側リブ１９と、上記右外側リブ１８の左側面に対向してなる右内側リブ２０と、両端がこれら左内側リブ１９と右内側リブ２０に連続してなるとともに、上記左ロック部材支持片１１及び右ロック部材支持片１２よりもさらに垂下してなり、後述するロック部材本体２６の下方への回動範囲を規制する回動規制片２１が垂下形成されている。以上より、このマンホール蓋本体４の蓋部４ａの下面には、上記一方の外側リブ１２と左内側リブ１９との間により左溝部２２が形成され、また、上記他方の外側リブ１３と右内側リブ２０とにより右溝部２３が形成されている。
【００１５】
また、上記マンホール蓋本体４を構成する蓋部４ａの下面に取り付けられる上記ロック部材５は、図３及び図４に示すように、正面側中央より正面側に向けて突出する左突出板部３５及び右突出板部３６が形成されたロック部材本体２６と、上記マンホール蓋本体４を構成するバール挿通用開口４ｄを開閉する閉塞蓋２７と、上記受枠２の係合部２ｄと係合する爪部材２８と、を備えている。上記ロック部材本体２６の一端（マンホール蓋本体４に近い側の端部）には、後述する左ねじりコイルバネ８１に形成された巻回部８１ａ内に挿入される左軸部３１と、同様に右ねじりコイルバネ８２に形成された巻回部８２ａ内に挿入される右軸部３２と、が形成されている。これら左軸部３１及び右軸部３２は、何れも円柱状に成形されており、また、これら左軸部３１及び右軸部３２の先端には、これら左軸部３１及び右軸部３２と同心で、やや径が細くされてなる左細径部３３及び右細径部３４が形成されている。これら左細径部３３及び右細径部３４は、上述の通り、それぞれ前記左ロック部材支持片１１の内側に形成された左軸受凹部１３及び前記右ロック部材支持片１２の内側に形成された右軸受凹部１４内に挿入されるものであり、また、これら左軸部３１及び右軸部３２の長さは、図４及び図５に示すように、上記左軸受凹部１３及び右軸受凹部１４の深さに対応したものとされている。
【００１６】
また、上記ロック部材本体２６の正面側中央に形成された左突出板部３５及び右突出板部３６は、互いに左右に面対向するとともに、図示しない開口が形成されている。また、閉塞蓋２７は、上記マンホール蓋本体４に形成されたバール挿入用開口４ｄ内に嵌合するように成形された蓋部２７ａと、この蓋部２７ａの下面から垂下してなる連結板部２７ｂと、から構成されている。そして、この連結板部２７ｂは、上記互いに面対向する左突出板部３３及び右突出板部３４の間に挿入されるとともに、該連結板部２７ｂに形成された図示しない開口と上記左突出板部３５及び右突出板部３６に形成された図示しない開口をボルト３７及びナット３８が挿通している。したがって、この閉塞蓋２７は、ロック部材本体２６に対して上記ボルト３５を軸として回動可能に連結されている。
【００１７】
また、上記ロック部材本体２６の一端（マンホール蓋本体４より遠い側の端部）には、左爪部材取付板部４１及び右爪部材取付板部４２が互いに左右に面対向して形成されており、これら左爪部材取付板部４１及び右爪部材取付板部４２には、それぞれ開口４３，４４が形成されている。これら左爪部材取付板部４１及び右爪部材取付板部４２の間には、上記受枠２の係合部２ｄと係合する爪部材２８が回動可能に取り付けられている。この爪部材２８は、円筒部６１と、該円筒部６１の手前側に形成されて上方に向けて円弧状に湾曲する凸部６２と、を一体化した形状とされており、マンホール蓋本体４が上記開口２ａを閉塞するように上記受枠２に支持された場合には、受枠２の内周に下向きに形成された係合部２ｄの下方にこの凸部６２が位置する。したがって、マンホール内を流れる雨水等の圧力が急激に高まり、マンホール蓋本体４が下方から加圧された場合には、図６に示すように該マンホール蓋本体４は持ち上げられてこの圧力を逃がすとともに、この凸部６２が一方の係合２ｄと当接及び係合し、また、蝶番３の凸部３ａが受枠２の蝶番係合部２ｅと係合することにより、不用意に該マンホール蓋本体４が開放されてしまうことがない。また、爪部材２８の円筒部６１の右側面には、該円筒部６１の中心の開口６３と同心とされた凹部６４が形成されており、この凹部６４には上方に向けて連通する溝部６５が形成されており、また、該円筒部６１の後端側（マンホール蓋本体４の中心側）には、マンホール蓋本体４と略平行に水平に延びる回動防止片６６が形成されており、上記の図６に示すように爪部材２８の凸部６２に下方への回動する力がかけられた場合には、この回動防止片６６とロック部材本体２６の下端とが当接し、爪部材２８がより下方に向けて回動することを防ぐ。なお、開口６３の内径は、上記左爪部材取付板部４１及び右爪部材取付板部４２に形成された開口４３，４４の内径と同じものとされており、また、凹部６４の内径は、後述するロックバネ６９の外径よりやや大きいものとされている。また、この爪部材２８の後端側から開口６３内にかけては、後述するイモネジ７０が螺入するネジ穴６７が形成されている。
【００１８】
この爪部材２８は、ロックピン６８，ロックバネ６９及びイモネジ７０によりロック部材本体２６に取り付けられている。このロックピン６８は、円柱状とされ、全長は上記左爪部材取付板部４１の左側面と右爪部材取付板部４２の右側面との間の距離とほぼ等しくされており、外径は上記左爪部材取付板部４１及び右爪部材取付板部４２に形成された開口４３，４４及び爪部材２８の開口６３の内径より僅かに小さくされている。また、このロックピン６８の中央には、イモネジ７０の先端が係合する外周全体に渡る溝部６８ａが形成されている。また、ロックバネ６９は、金属線を円環状に巻回してなるねじりコイルバネであって、該金属線の一端６９ａは半径方向外向きに突出しており、この一端６９ａの突出の長さは、爪部材２８の溝部６５内に係合可能なものとされている。また、該金属線の他端６９ｂは、一端６９ａよりも長く半径方向外向きに突出し、且つ、右向きに折曲する。すなわち、ロックバネ６９を爪部材２８の凹部６４内に入れた際に、該爪部材２８の円筒部６１の外周面上に表れる程度に半径方向外向きに突出するとともに、該爪部材２８の右端に達する程度の長さとされている。これら一端６９ａ及び他端６９ｂは、図４に示すように共に中心より上方に向けて平行に突出し、且つ、この平行の状態を保つように弾性力が作用するものとなっている。また、このロックバネ６９の外径は、上記爪部材２８の凹部６４内に入れることができる大きさであって、内径は、ロックピン６８が挿通可能とされており、また、このロックバネ６９の左右幅は上記爪部材２８の凹部６４内より僅かに突出するようにされている。以上の構成とされてなる爪部材２８，ロックピン６８，ロックバネ６９及びイモネジ７０のロック部材本体２６への取り付けは、先ずロックバネ６９を爪部材２８の凹部６４内に入れ、これら爪部材及びロックバネ６９をロック部材本体２６の左爪部材取付板部４１及び右爪部材取付板部４２の間に設置し、そしてロックピン６８を開口４３，４４，６３及びロックバネ６９の内部に挿通させ、最後に上記の爪部材２８の後端側から開口６３内にかけて形成された図示しないネジ穴内にイモネジ７０を螺入し、該イモネジ７０の先端をロックピン６８の溝部６８ａ内に係合させる。以上の構成により、イモネジ７０の先端が溝部６８ａ内に係合することから、このロックピン６８が左右方向に移動して爪部材２８が抜けを防止し、また、爪部材２８はロックピン６８を軸に回動するものの、回動防止片６６とロック部材本体２６の左爪部材取付板部４１及び右爪部材取付板部４２の間に位置する平面とが当接することにより、該爪部材２８は下方への回動を防止され、更に、ロックバネ６９は、一端６９ａが該爪部材２８に係合し、他端６９ｂはロック部材本体２６に係合することから、該爪部材２８はロックバネ６９により下方に向けて回動するように付勢されている。
【００１９】
また、上記ロック部材本体２６の左側面であって、上記左軸部３１よりも下方には、突出してＬ字状となされた左係止部４７が形成され、該ロック部材本体２６の右側面であって、上記右軸部３２下方には、突出してＬ字状となされた右係止部４８が形成されている。これら左係止部４７及び右係止部４８には、それぞれ左ねじりコイルバネ８１及び右ねじりコイルバネ８２の一端側が係止される部位である。すなわち、上記マンホール蓋本体４及びロック部材５には、図３及び図５に示すように、左ねじりコイルバネ８１及び右ねじりコイルバネ８２が弾性力を及ぼしている。これら左ねじりコイルバネ８１及び右ねじりコイルバネ８２は、図４に示すように、金属の線材からなるものであり、螺旋状に巻回されている巻回部８１ａ，８２ａと、この巻回部８１ａ，８２ａから略直線状に突出してなる一方の線状部８１ｂ，８２ｂと、上記巻回部８１ａ，８２ａから、上記一方の線状部８１ｂ，８２ｂとは逆方向に突出してなる他方の線状部８１ｃ，８２ｃとから構成されている。なお、上記一方の線状部８１ｂ，８２ｂは、他方の線状部８１ｃ，８２ｃの長さよりも短い長さとされている。そして、上記左ねじりコイルバネ８１は、図４及び図５に示すように、上記巻回部８１ａ内には上記ロック部材本体２６に形成された左軸部３１が挿通され、上記一方の線状部８１ｂが該ロック部材本体２６に形成された左係止部４７に係止されるとともに、他方の線状部３０ｃは上記左溝部２２内に配設される。また、上記右ねじりコイルバネ８２は、図４及び図５に示すように、上記巻回部８２ａに上記ロック部材本体２６に形成された右軸部３２が挿通され、上記一方の線状部８２ｂが該ロック部材本体２６に形成された右係止部４８に係止されるとともに、他方の線状部８２ｃは右溝部２３内に配設される。
【００２０】
以上の構成からなる本発明のロック式マンホール蓋１は、マンホール蓋本体４が受枠２の開口２ａを閉塞して受枠２に支持されている状態においては、図１に示すように、ロック部材５を構成する閉塞蓋２７によって、マンホール蓋本体４に形成されたバール挿入用開口４ｄは閉塞されている。これは、ロック部材５が、上記左ねじりコイルバネ８１及び右ねじりコイルバネ８２の弾性力によって、左細径部３３及び右細径部３４を中心に時計回り方向に回動するように付勢されていることによるものである。また、上記ロック部材５を構成する爪部材２８に形成された凸部６２が、受枠２の内側に形成された係合部２ｄの下方に位置している。これは、爪部材２８が、ロックバネ６９の弾性力によってロックピン６８を中心に反時計回り方向に回動するように付勢され、且つ、該爪部材２８の回動防止片６６とロック部材本体２６の下端とが当接し、図１その他の図面に示すように上記爪部材２８の凸部６２が略水平に方向する状態を保つことによるものである。したがって、このマンホール蓋本体４上に土砂や雨水等が堆積する場合にも、バール挿入用開口４ｄは左ねじりコイルバネ８１及び右ねじりコイルバネ８２により付勢された閉塞蓋２７によって密閉されていることから、該バール挿入用開口４ｄを介してマンホール内にこれら土砂類が入ることはない。また、マンホール内を流れる雨水等の圧力が急激に高まり、マンホール蓋本体４が下方から加圧された場合であっても、上述の通り図６に示すように該マンホール蓋本体４は持ち上げられてこの圧力を逃がすとともに、この凸部６２が一方の係合２ｄと当接及び係合し、また、蝶番３の凸部３ａが受枠２の蝶番係合部２ｅと係合することにより、不用意に該マンホール蓋本体４が開放されてしまうことがない。
【００２１】
この図１のようにマンホール蓋本体４が受枠２の開口２ａを閉塞して受枠２に支持されている状態であるときに、このマンホール蓋本体４を開ける場合には、作業者は図７に示すように、該マンホール蓋本体４開閉用のバールＢの先端を上記閉塞蓋２７の上面に当接させ、上記左ねじりコイルバネ８１及び右ねじりコイルバネ８２の弾性力に抗しつつ下方に力を作用させると、上記閉塞蓋２７がボルト３７を中心に時計回りに回動するとともに、該ボルト３７を介してロック部材本体２６を下方に押圧し、ロック部材本体２６は、上記一方及び他方の凸部２５ａ，２５ｂを中心に、反時計回り方向に回転し、該ロック部材本体２６の先端に位置する爪部材２８は図中の右方に移動する。すなわち、図７に示すように爪部材２８は移動して受枠２の係合部２ｄの下方の位置しなくなる。このように、バールＢを用いる操作によって、受枠２の係合部２ｄと爪部材２８の凸部６２との係合を解除することができる。続けて、バールＢによって受枠２の係合部２ｄと爪部材２８の凸部６２との係合を解除した状態を保ちつつ、バールＢの凸部をマンホール蓋本体４の蓋部４ａの裏面に係合させ、このバールＢの係合を保ちつつバールＢを上方に動かすことにより、図８に示すように該マンホール蓋本体４を持ち上げて受枠２内から外すことができる。また、受枠２の開口２ａをマンホール蓋本体４によって閉塞する際には、マンホール蓋本体４のバール挿入用開口４ｄ側の縁部を持ち上げたまま、マンホール蓋本体４の蝶番３を受枠２の蝶番係合部２ｅ内に挿入する。そして、この蝶番３の挿入の後、この持ち上げていたマンホール蓋本体４から手放し、このマンホール蓋本体４を受枠２の開口２ａ内に落とす。この時、従来のロック式マンホール蓋１０１であれば、先述した図１０に示すように、ロック部材１０４の係合部１０４ａが受枠１０３の枠部１０３ｂと当接し、したがって、このマンホール蓋１０２を開口１０３ｃ内に入れることができないことがある。しかし、本願発明に係るロック式マンホール蓋１であれば、同様にマンホール蓋本体４を手放して落下した場合には、爪部材２８の凸部６２が受枠２の枠部２ｂと当接した際に、図９に示すように該爪部材２８は上方に向けて回動することから、確実に該マンホール蓋本体４は受枠の開口２ａ内に入る。このようにして入れられたロック式マンホール蓋１は図１に示すようになり、また、マンホール蓋本体４を入れる際に図９に示すように上方に向けて回動した爪部材２８は、ロックバネ６９の作用により再度略水平方向に向き、凸部６２は受枠２の係合部２ｄの下方に位置する。
【００２２】
なお、上記実施の形態においては、ロック部材本体２６と爪部材２８それぞれに対して弾性力を及ぼす弾性部材としてねじりコイルバネであるロックバネ６９を用いているが、本発明はこのようなねじりコイルバネ以外のバネを用いても良い。すなわち、トーションバネやつる巻きバネ等をロック部材本体２６と爪部材２８との間に取り付け、これによって爪部材２８に対して下方に向けて回動するように付勢しても良い。また、上記実施の形態においては、爪部材２８をロックバネ６９によって下方に付勢して回動するものとしたが、請求項１記載の発明のように、弾性部材を用いない構成としても良い。すなわち、爪部材２８を重量バランスに配慮してロックピン６９よりも先端側（凸部６２側）が重くなるように構成し、下方から上方に力が作用した場合以外は常にこの先端側が下方に向けて回動した状態となるものとしても良い。
【図面の簡単な説明】
【００２３】
【図１】本発明の一実施の形態に係るロック式マンホール蓋を示す側断面図である。
【図２】受枠を上方から示す平面図である。
【図３】マンホール蓋本体と受枠とが分離した状態を斜め下方から示す斜視図である。
【図４】マンホール蓋本体の下面の要部を斜め下方から示す分解斜視図である。
【図５】マンホール蓋本体の下面の要部を下方から示す底面図である。
【図６】マンホール内からの圧力によりマンホール蓋本体が持ち上げられた状態を示す側断面図である。
【図７】ロックが解除された後の状態を示す側断面図である。
【図８】ロックが解除されてマンホール蓋本体が持ち上げられた状態を示す側断面図である。
【図９】マンホール蓋本体を受枠上に落とした場合において、爪部材が回動した状態を示す側断面図である。
【図１０】従来のロック式マンホール蓋のマンホール蓋本体を受枠上に落とした場合において、係合部が受枠の枠部に当接した状態を示す側断面図である。
【符号の説明】
【００２４】
１    ロック式マンホール蓋
２    受枠
２ａ    開口
２ｄ    係合部
４    マンホール蓋本体
４ｄ    バール挿入用開口
５    ロック部材
２６    ロック部材本体
２７    閉塞蓋
２８    爪部材
６６    回動防止片
６９    ロックバネ
Ｂ    バール
【図１】
2005290731.tif 000003
【図２】
2005290731.tif 000004
【図３】
2005290731.tif 000005
【図４】
2005290731.tif 000006
【図５】
2005290731.tif 000007
【図６】
2005290731.tif 000008
【図７】
2005290731.tif 000009
【図８】
2005290731.tif 000010
【図９】
2005290731.tif 000011
【図１０】
2005290731.tif 000012